(57)【要約】【課題】錠装置として必要な機能を全て同一ケーシング内に収容することにより、品質管理を確実にし、さらに、取付作業も簡単にしたロッカの錠装置を提供することを目的とする。【解決手段】シリンダ錠１、  シリンダ錠１により施解錠位置間で移動操作される施錠体２、  コイン投入部３へのコインＡ投入によりシリンダ錠１への施錠操作が可能になり、投入コインＡの取り出しを不能とするコイン格納部４、  シリンダ錠１に連動して動作する制御部、および  制御部により制御され、施錠状態の継続時間を表示する表示部５、  を同一ケーシング６内に収容して構成する。【選択図】  図１
2006040154.tif 000002
【特許請求の範囲】
【請求項１】
シリンダ錠、
シリンダ錠により施解錠位置間で移動操作される施錠体、
コイン投入部へのコイン投入によりシリンダ錠への施錠操作が可能になり、投入コインの取り出しを不能とするコイン格納部、
シリンダ錠に連動して動作する制御部、および
制御部により制御され、施錠状態の継続時間を表示する表示部、
を同一ケーシング内に収容したコインロッカの錠装置。
【請求項２】
前記制御部は、シリンダ錠への操作の度に、表示部に対して短時間の発光信号を送出する請求項１記載のコインロッカの錠装置。
【請求項３】
前記制御部は、前記施錠体の施錠状態への移行に伴い給電され、所定時間間隔で解除可能な省電力モードを有するマイクロコンピュータにより形成されるとともに、
表示部の発光開始タイミングが、マイクロコンピュータの省電力モード解除毎にカウントされる解除回数により決定される請求項１または２記載のコインロッカの施錠装置。
【請求項４】
前記表示部がＬＥＤランプにより形成され、
前記制御部は、施錠操作から所定時間経過後に表示部への発光信号を生成する請求項１、２または３記載のコインロッカの錠装置。
【請求項５】
前記制御部は、経過時間により点滅速度の異なる複数種の表示部の点滅信号を生成する請求項４記載のコインロッカの錠装置。
【請求項６】
前記表示部の発光開始時間を調整する調整部がケーシング外部から操作可能に配置される請求項１からの５のいずれかに記載のコインロッカの錠装置。
【発明の詳細な説明】
【技術分野】
【０００１】
本発明はコインロッカの錠装置に関するものである。
【背景技術】
【０００２】
コイン投入により施解錠が可能になる錠装置としては、特許文献１に記載されたものが知られている。この従来例において、錠装置は、ロッカ扉側に固定される把手部と、ロッカの框部に固定されるケーシング部とからなる。ケーシング部にはタング（施錠体）をロッカ扉側に進退させるためのシリンダ錠と、コインの投入部が設けられる。
【０００３】
ロッカ利用者がコイン投入部にコインを投入すると、シリンダ錠を操作してタングを把手部側に突出させて施錠状態にすることができる。施錠状態でタングが、把手部内に侵入すると、把手部内の検出レバーが押されて回転してタイマスイッチがＯＮとなり、所定時間経過後、液晶表示器に経過時間が表示される。
【特許文献１】特開２００１-３２５８８号公報
【発明の開示】
【発明が解決しようとする課題】
【０００４】
しかし、上述した従来例において、表示器への経過時間表示は、框部側のケーシング部内のタングが把手部内の検出レバーを押圧することが条件となるために、表示部を含む錠装置全体の性能チェックは、ロッカに実際に装着した状態でなければ確認できないという問題がある。
【０００５】
本発明は、以上の欠点を解消すべくなされたものであって、錠装置として必要な機能を全て同一ケーシング内に収容することにより、品質管理を確実にし、さらに、取付作業も簡単にしたロッカの錠装置を提供することを目的とする。
【課題を解決するための手段】
【０００６】
本発明によれば上記目的は、
シリンダ錠１、
シリンダ錠１により施解錠位置間で移動操作される施錠体２、
コイン投入部３へのコインＡ投入によりシリンダ錠１への施錠操作が可能になり、投入コインＡの取り出しを不能とするコイン格納部４、
シリンダ錠１に連動して動作する制御部、および
制御部により制御され、施錠状態の継続時間を表示する表示部５、
を同一ケーシング６内に収容したコインロッカの錠装置を提供することにより達成される。
【０００７】
錠装置は、シリンダ錠１を操作して施錠体２を施錠位置に移動させることによって、該施錠体２を相手側部材、すなわち、錠装置をロッカ扉Ｂに固定した際の框、あるいは框に固定した際のロッカ扉Ｂに係止させ、ロッカ扉Ｂを施錠状態にすることができる。
【０００８】
シリンダ錠１による施錠操作は、コイン格納部４のコイン投入部３にコインＡが投入された場合にのみ可能となり、この後、シリンダ錠１による施錠操作がなされると、投入コインＡの取り出しが不能状態となる。不能状態となった投入コインＡは、有料コインロッカにおいては、ロッカ管理者により回収され、無料コインロッカにおいては、ロッカ利用者が再びロッカ扉Ｂを解錠した際に利用者に返還され、これらは、コイン格納部４内でのコインＡ通過パスを変更することにより、適宜設計変更できる。また、コイン格納部４には、投入コインＡが適正である場合にのみシリンダ錠１による施錠操作が可能になるような適宜の検銭機構を加えることができる。
【０００９】
表示部５は、実装基板８上に実装される制御部により表示状態を制御されて施錠状態の継続時間を表示する。表示部５には、液晶表示パネル、８セグメント等のＬＥＤ表示器、ＬＥＤランプ等が使用可能であり、表示方法は、使用されるデバイスにより適宜決定され、例えば、液晶表示パネル、あるいはＬＥＤ表示器を使用する場合には、継続時間を直接表示することが可能であり、ＬＥＤランプを使用する場合には、継続時間を適数に区分し、区分毎に点滅速度を変える等して表示することができる。また、表示部５における表示動作のタイミングは、適宜決定可能であり、施錠開始直後から表示を始めても、あるいは所定の設定時間経過後に表示を開始してもよい。
【００１０】
施錠体２、表示部５等が同一ケーシング６内に収容される本発明において、錠装置単体で全ての機能を検証することが可能であり、品質管理精度を高めることができる上に、単体をロッカ扉Ｂ、あるいは框部に固定し、対応部に施錠体２のストライクを固定するだけで錠装置として機能させることができるために、取付作業性も向上する。ケーシング６は、実質的に同一であれば、複数の分割ケースを連結したものであってもよい。
【００１１】
制御部は、シリンダ錠１への操作の度に、表示部５に対して短時間の発光信号を送出するように構成することができる。このように構成することによって、ロッカ管理者は、開扉状態（未使用状態）のロッカ扉Ｂ等に固定された錠装置を一旦施錠方向、または施錠状態に移行させ、その時に表示部５が瞬間的に発光するか否かを確認するだけで表示部５関連の簡易な動作確認を行うことができる。また、表示部５、制御部がケーシング６内に収容されたバッテリにより駆動される場合には、同時にバッテリ切れの確認も行うことができる。さらに、発光は短時間であるために、バッテリ消耗が少なくてすむ。
【００１２】
制御部は、省電力モードを有するマイクロコンピュータ、正確には、省電力モードを備えたＣＰＵと必要な周辺回路から構成されるマイクロコンピュータにより形成することができる。マイクロコンピュータは、施錠体２の施錠状態への移行に伴って給電され、動作開始時にＲＯＭ内のプログラムに従って、例えば後述するスリープ解除（省電力モード解除）回数等の必要な変数の初期化を行うようにすることができる。
【００１３】
ＣＰＵの省電力モードは、例えば”ＨＡＬＴ”モードのようなクロックを動作させたままでのプログラム停止モードであり、所定時間間隔で解除することができる。スリープ解除は、例えば、マイクロコンピュータに一般的に実装されるベースタイマ割り込みを利用することができる。
【００１４】
マイクロコンピュータは、省電力モードが解除されるたびに、解除回数をカウントし、カウント値が設定値に至るまで、スリープと覚醒を繰り返す。カウント値が設定値になると、表示部５のドライバ回路を駆動して表示部５の発光信号を生成した表示部５を発光させる。表示部５における発光状態は、表示部５を形成するデバイスにより適宜決定される。
【００１５】
制御部に省電力モードを有するマイクロコンピュータを使用し、さらに、覚醒時間を条件確認（カウンタ確認）と、条件充足時の処理を行うようにすることによって、省電力モードによる駆動時間を覚醒時間に比して圧倒的に長く設定することができる。この結果、制御部での消費電力を少なくすることが可能になり、制御部、表示部５がバッテリ駆動される場合には、バッテリ寿命を長くすることが可能になる。
【００１６】
上述したように表示部５は、液晶表示装置をはじめとして種々のものが使用できるが、ＬＥＤランプを使用し、かつ、制御部が、施錠操作から所定時間経過後に表示部５への発光信号を生成するように構成すると、表示部５における省電力効果を高めることができる。
【００１７】
すなわち、表示部５に液晶表示装置等を使用した場合には、使用開始直後から使用時間を表示する必要があり、バッテリ消耗等が大きくなる。バッテリ消耗を少なくするためには、時間計測だけを行って所定時間経過後に液晶表示装置を発光させることも可能であるが、この場合には、液晶表示装置の性質上、使用開始されても表示部５に何も表示されないことは、利用者に装置故障との誤ったメッセージを伝えることとなる可能性が高くなるという不具合がある。これに対し、ＬＥＤランプは、使用開始に際して点灯、点滅しなくても、装置故障とのメッセージになりにくいために、所定時間経過するまで点灯等をさせる必要が必ずしもなく、必要であれば、省電力化を図ることができる。
【００１８】
この場合、経過時間により点滅速度の異なる複数種の表示部５の点滅信号を生成した場合には、利用者に経過時間を警告情報として伝達することができるために、利用者にロッカ管理規定等の確認を促すことが可能になり、ロッカ管理にとって便宜である。
【００１９】
さらに、表示部５の発光開始時間を調整する調整部７がケーシング６外部から操作可能に配置されるように構成した場合には、設置後に簡単に設定を変更することが可能になり、ロッカ管理者にとって便利である。
【発明の効果】
【００２０】
本発明によれば、錠装置として必要な機能を全て同一ケーシング６内に収容したので、動作確認を単体状態で行うことができ、品質管理を確実にすることが可能になる。
また、ケーシング６をロッカ扉Ｂ、あるいは框部に固定するだけで取付作業が完了するために、取付作業性が向上する。
【発明を実施するための最良の形態】
【００２１】
図１にコインロッカ使用後に投入コインＡが返却されるように構成された本発明の実施の形態を示す。この実施の形態において、錠装置は、後述する各構成部品収容するケーシング６をコインロッカの扉Ｂに固定して使用される。ロッカ扉Ｂに表面側から取り付けるために、ケーシング６には、ロッカ扉Ｂの表面に当接するフランジ６ａと、ロッカ扉Ｂへの係止爪６ｂが設けられる。また、ケーシング６には、扉枠に係止して閉扉状態を維持するためのラッチ９が飛び出し方向に付勢されて装着される。
【００２２】
図２に示すように、錠装置は、終端にレバー状の施錠体２を連結したシリンダ錠１と、コイン格納部４とを有する。取付部１ａによりケーシング６に固定されるシリンダ錠１は所定の解錠キーＣによってのみ回転操作可能であり、ロッカ扉Ｂへの固定状態において、解錠キーＣの挿入部がロッカ扉Ｂ表面に露出する。ロッカ扉Ｂへの施錠操作は、このシリンダ錠１の回転操作により施錠体２を回転駆動させてロッカー筐体側に設けた図外のストライカに係脱させて行われる。悪戯によって解錠キーＣが持ち去られないように、解錠キーＣは、図示の待機状態においてはシリンダ錠１から抜去不能であり、後述するように、正規のコインＡを投入して施錠体２を回転駆動した状態で抜去することができる。
【００２３】
一方、コイン格納部４は、コインホルダ１０と、後述するコインセンサ部１１、ホルダ回転制御部１２とを有する。コインホルダ１０は、図２に示すように、ケーシング６に設けられる取付ベース６ｃに支承されてロッカ扉Ｂに直交する面内で回転自在に配置され、シリンダ錠１への回転操作力をコインホルダ１０への回転操作力として伝達するために、コインホルダ１０とシリンダ錠１とは、伝達部１３を介して連結される。伝達部１３は、シリンダ錠１の終端に固定されたシリンダレバー１ｂ上に立設した作動ピン１３ａと、作動ピン１３ａが挿通する横長の長孔からなるピン挿通孔１３ｂを備えたスライダリンク１３ｃと、コインホルダ１０からスライダリンク１３ｃ側に突設され、スライダリンク１３ｃに設けたロッカー奥行き方向に長い図外の長孔に挿通するドライブピン１３ｄとを有して構成される。
【００２４】
シリンダ錠１を図２（ａ）において反時計回りに回転させると、スライダリンク１３ｃはシリンダレバー１ｂの作動ピン１３ａにより上方に引き上げられる。スライダリンク１３ｃの上方への移動により、図２（ｂ）に示すように、ドライブピ１３ｄンは上方に引き上げられ、ケーシング６上のホルダ用枢軸６ｄ周りに回転自在なコインホルダ１０には、時計回りの回転力が付加される。
【００２５】
図３に示すように、コインホルダ１０は、前端部にコイン保持部１４を備える。コイン保持部１４は両側が側壁部１４ａにより覆われてスリット状に形成され、投入コインＡを位置決めするための底壁１４ｂと奥行き壁１４ｃとを備える。側壁部１４ａには、投入コインＡの取り出しを容易にするための切欠１４ｄが設けられる。図１に示すように、このコインホルダ１０は、コイン保持部１４の開口をロッカ扉Ｂ正面側に露出させて配置され、ケーシング６には、コインホルダ１０前面部を覆うカバー部１５が膨隆される。このカバー部１５には、コイン保持部１４に対応するコイン投入部３が開設される。
【００２６】
上記コインホルダ１０にはコインセンサ部１１が装着される。コインセンサ部１１は、コインホルダ１０にセンサアーム用枢軸１６を介して回転自在に連結されるセンサアーム１７と、コインホルダ１０上のアンクル用枢軸１８周りに回転自在なアンクル１９とを有して構成される。図３（ｂ）に示すように、センサアーム１７は、一端に検知部１７ａを備えており該検知部１７ａがコイン保持部１４内方に移動する方向（図３（ａ）における反時計方向）に付勢される。センサアーム１７を上述した方向に付勢するために、センサアーム１７の他端には、一端がコインホルダ１０上のバネ固定部１０ａに連結された引張スプリング２０が連結される。
【００２７】
コイン保持部１４内にコインＡを投入する際に、センサアーム１７の検知部１７ａがコインＡにこすれないように、ケーシング６側にはケーシング６の奥行壁面を利用してセンサ制御部２１が設けられる。センサ制御部２１は、センサアーム１７に設けたストッパ突部１７ｂの移動経路に干渉して引張スプリング２０によるセンサアーム１７の移動を規制し、図３（ａ）において矢印で示すように、検知部１７ａの位置を、投入が想定される最大のコインＡが擦過することなくコイン保持部１４内に移動できる位置に保持する。
【００２８】
コインＡをコイン保持部１４に収容した後、上述したようにシリンダ錠１を操作してコインホルダ１０をホルダ用枢軸６ｄ周りに回転させると、図４（ａ）に示すように、引張スプリング２０の復元力によりセンサアーム１７はストッパ突部１７ｂがセンサ制御部２１に当接する原位置を保持するために、検出部１７ａが漸次コインＡの表面に接近する。さらに、コインホルダ１０が回転（回転角θ）すると、図４（ｂ）に示すように、検出部１７ａがコインＡの外周に当接するコイン検出モードに移行する。
【００２９】
さらに、上記センサアーム１７には、センサアーム用枢軸１６を中心とする円弧状のピン挿通孔２２が開設される。図３（ｂ）に示すように、このピン挿通孔２２の一部は、一般部２２ａに比して大きな曲率で形成され、退避部２２ｂとされる。
【００３０】
図３（ｃ）に示すように、アンクル１９は、一端に上記センサアーム１７のピン挿通孔２２に挿通する検出用ピン１９ａを有するとともに、他端に取付ベース６ｃ側に屈曲される出力部２３を有する。アンクル用枢軸１８は、センサアーム１７のセンサアーム用枢軸１６周りの回転に伴って、出力部２３がホルダ用枢軸６ｄからの距離が増減する位置に設けられる。
【００３１】
さらに、取付ベース６ｃにはホルダ回転制御部１２が形成される。図３（ｃ）に示すように、ホルダ回転制御部１２は、ホルダ用枢軸６ｄを中心とする円弧状の孔として形成され、上方終端部から中央部までの領域には、一般部１２ａを拡径方向に拡幅した拡幅部１２ｂが付与され、拡幅部１２ｂの下方終端がストッパ部１２ｃとされる。一般部１２ａの曲率は、図４（ｂ）に示すように、アンクル１９の検出用ピン１９ａがセンサアーム１７の退避部２２ｂに落ち込むまでセンサアーム１７が回転したときの出力部２３が挿入可能なように決定され、拡幅部１２ｂの外周の曲率は、図５に示すように、検出用ピン１９ａがピン挿通孔２２の一般部２２ａに対応する際の出力部２３に対応するように決定される。
【００３２】
また、ホルダ回転制御部１２の一般部１２ａの経路長は、一般部１２ａの上方終端部に出力部２３を位置させた状態でシリンダ錠１を施錠回転位置まで回転させた際に、コインホルダ１０が出力部２３に干渉することなく回転可能なように決定される。
【００３３】
次に、図５、６によって上述したコイン格納部４の動作を説明する。まず、コインセンサ部１１及びホルダ回転制御部１２は、設定されたコインＡが投入された際に、アンクル１９の検出用ピン１９ａがピン挿通孔２２の退避部２２ｂに対応するように調整される。この状態でコイン保持部１４内にコインＡを収容し、シリンダ錠１を回転操作すると、コインセンサ部１１が作動し、図５（ａ）に示すように、投入コインＡが設定コインＡより小さな場合、あるいは図５（ｂ）に示すように大きな場合には、アンクル１９の検出用ピン１９ａはピン挿通孔２２の一般部２２ａに位置する。この状態では、アンクル１９の出力部２３はホルダ回転制御部１２の拡幅部１２ｂに対応しており、この後、シリンダ錠１を回転操作すると、図５（ｃ）に示すように、コインホルダ１０は、所定角度空転した後、出力部２３が拡幅部１２ｂの終端に形成されたストッパ部１２ｃに衝接し、回転操作が禁止される。
【００３４】
このコインホルダ１０の回転が停止したときのシリンダ錠１の回転操作角は、施錠回転位置、すなわち、施錠体２がストライカに係止し、さらに、解錠キーＣがシリンダ錠１から抜去可能な角度に達していないために、施錠操作を行うことができない。
【００３５】
また、ストッパ部１２ｃに当接する状態では、コインホルダ１０はケーシング６内に没入し、コイン保持部１４のロッカ扉Ｂへの開口もケーシング６内に退避している。この結果、ストッパ部１２ｃに当接する時の出力部２３の位置をロッカ扉Ｂ外方から操作することができないために、コインＡ未投入等の悪戯によるコインロッカーの使用を確実に防止できる。
【００３６】
これに対し、投入コインＡが予定されたサイズである場合には、図４（ｂ）に示すように、アンクル１９の検出用ピン１９ａがピン挿通孔２２の退避部２２ｂに対応する位置までセンサアーム１７が回転する。この状態で出力部２３はホルダ回転制御部１２の一般部１２ａに対応しており、この後、図６に示すように、コインホルダ１０をフルストローク回転操作することができる。この結果、シリンダ錠１は施錠回転位置まで回転操作可能であり、ロッカ扉Ｂを施錠した後、解錠キーＣを抜去することができる。使用状態において、コインＡは図６に示すように、上方に移動しており、悪戯によってコインホルダ１０のロッカ扉Ｂ外部への露出部を破損しても、コインＡを取り出すことはできない。
【００３７】
この後、再びシリンダ錠１を回転操作してコインホルダ１０を原位置に復帰させると、コインセンサ部１１のセンサアーム１７は、図４（ｂ）の状態を経由して、最終的には図３（ａ）の状態になる。この状態でコインセンサ部１１の検知部１７ａは、コインＡから離れているために、コインＡを取り出す際の検知部１７ａとの擦過が防止される。
【００３８】
さらに、上記ケーシング６内には、表示部５となるＬＥＤランプと、ＬＥＤランプ５の発光を制御する制御部が実装される実装基板８と、ＬＥＤランプ５および制御部を駆動するためのバッテリが収容される。ＬＥＤランプ５は実装基板８上で、図１（ａ）に示すように、ケーシング６の表面部から観察可能な位置に配置される。
【００３９】
また、実装基板８上には、図７に示すように、電源スイッチ２４が実装される。電源スイッチ２４は、マイクロスイッチであり、上記スライダリンク１３ｃおよびドライブピン１３ｄと同期して上下駆動される駆動ブロック２５の移動経路上にアクチュエータ部２４ａが配置される。図７（ａ）に示すように、施錠体２が解錠位置にあるときには、駆動ブロック２５は下方位置に位置しており、マイクロスイッチ２４は”ＯＦＦ”状態で、制御部への給電がなされない。
【００４０】
これに対し、施錠体２が施錠位置に移動すると、図７（ｂ）に示すように、駆動ブロック２５は上方に移動してマイクロスイッチ２４のアクチュエータ部２４ａを押下し、マイクロスイッチ２４が”ＯＮ”状態となり、制御部への給電が開始される。
【００４１】
制御部は、省電力モードを有するＣＰＵを含むマイクロコンピュータにより形成され、マイクロコンピュータのＣＰＵは、バッテリ消耗を可及的に少なくするために、短時間の覚醒を所定間隔で繰り返す省電力モードを基本として動作し、覚醒（省電力モード解除時）回数によりＬＥＤランプ５の点灯状態を制御する。ＬＥＤランプ５の点灯状態を変更する覚醒回数は、ディップスイッチ（調整部７）により設定可能であり、ロッカ管理者による操作を可能にするために、ディップスイッチ７は、図８に示すように、ケーシング６の背面部に配置される。なお、図８において２６はディップスイッチ７、およびバッテリ２７を覆うための蓋を示す。
【００４２】
図９に基づいて、制御部におけるＬＥＤランプ５の点灯の制御手順を以下に説明する。まず、上述したように、施錠体２の施錠位置への移動に伴って駆動ブロック部が上昇すると、マイクロスイッチが”ＯＮ”となり（ステップＳ１）、マイクロコンピュータのタイムマネージャ回路に通電された後（ステップＳ２）、ＣＰＵが起動される（ステップＳ３）。
【００４３】
ＣＰＵの起動により、システムの初期化の後（ステップＳ４）、ディップスイッチ７の設定が読み込まれ（ステップＳ５）、このディップスイッチ７による設定値（計測設定値）がメモリに書き込まれる（ステップＳ６）。次いで、カウンタ値と点滅速度設定が初期化され（ステップＳ７）、ドライバ回路にＬＥＤランプ５の瞬時点灯命令を出力する（ステップＳ８）。このステップは、ロッカ管理者が簡易に動作確認を行うことができるように配慮して設けられるもので、ＬＥＤランプ５が瞬時点灯を確認することにより、バッテリ切れのチェックに加え、制御部の動作チェックも行うことができる。
【００４４】
ＬＥＤランプ５の瞬時点灯が終了すると、タイマーカウントがインクリメントされ（ステップＳ９）、上記ディップスイッチ７による計測設定値と比較される（ステップＳ１０）。比較の結果、計測設定値より低い場合、すなわち、初期点滅開始時間に至っていない場合には、点滅開始判定のためのインターバルとして予め設定された時間が経過するまでＣＰＵが省電力モードに移行し（ステップＳ１１）、覚醒時にステップＳ９からを実行する（ステップＳ１２）。
【００４５】
また、ステップＳ１０での比較の結果、タイマーカウント値が計測設定値に達した場合には、ＬＥＤランプ５を瞬間点灯させた後（ステップＳ１３）、点滅モード判定のための点滅カウンタを予め設定された開始設定値と比較する（ステップＳ１４）。比較の結果、設定値に達していない場合、すなわち、点滅モードを変更すべき時間が経過していない場合には、点滅モード判定のためのインターバルとして予め設定された時間が経過するまでＣＰＵが省電力モードに移行する（ステップＳ１５）。本ステップ（Ｓ１５）により移行した省電力モードが解除されると（ステップＳ１６）、点滅カウントをインクリメントした後（ステップＳ１７）、ステップＳ１３からの各ステップが実行される。
【００４６】
ステップＳ１４において点滅カウンタが設定値に達すると、点滅モードを変更し（ステップＳ１８）、ステップＳ１５からの各ステップを実行する。また、マイクロスイッチ２４は施錠体２の施錠位置へ移動に伴ってＯＮ状態としたが、コインホルダ１０が所定角度空転する位置、すなわち出力部２３がストッパ部１２ｃに衝接する位置において、ＯＮ状態とすることもできる。
この場合、ロッカ管理者はコインＡを投入することなく、ＬＥＤランプ５の瞬時点灯を確認することができるため、多数のロッカに対してバッテリ等のチェックを効率よく行うことができる。
点滅モードは、例えば、無点灯、遅い点滅、速い点滅と遷移させることができ、この場合、所定時間が経過すると、まず、ＬＥＤランプ５はゆっくりとした点滅動作を開始し、さらに時間が経過すると、測度の速い点滅モードに移行して利用者にロッカの開放を要求する。
【００４７】
なお、以上においては、点滅モードは、遅速二段階で変化する場合を示したが、より多くの段階で変化させることもできる。
（付記）
（付記１）
シリンダ錠１、
シリンダ錠１により施解錠位置間で移動操作される施錠体２、
コイン投入部３へのコインＡ投入によりシリンダ錠１への施錠操作が可能になり、投入コインＡの取り出しを不能とするコイン格納部４、
シリンダ錠１に連動して動作する制御部、および
制御部により制御され、施錠状態の継続時間を表示する表示部５、
を同一ケーシング６内に収容したコインロッカの錠装置。
（付記２）
前記制御部は、シリンダ錠１への操作の度に、表示部５に対して短時間の発光信号を送出する付記１記載のコインロッカの錠装置。
（付記３）
前記制御部は、前記施錠体２の施錠状態への移行に伴い給電され、所定時間間隔で解除可能な省電力モードを有するマイクロコンピュータにより形成され、
給電開始に伴って省電力モードに遷移するとともに、省電力モード解除時に解除回数をカウントし、
カウント数が所定数に達した際には表示部５の発光信号を生成するとともに、
所定数に達しない場合には、省電力モードに移行する付記１または２記載のコインロッカの施錠装置。
（付記４）
前記表示部５がＬＥＤランプ５により形成され、
前記制御部は、施錠操作から所定時間経過後に表示部５への発光信号を生成する付記１、２または３記載のコインロッカの錠装置。
（付記５）
前記制御部は、経過時間により点滅速度の異なる複数種の表示部５の点滅信号を生成する付記４記載のコインロッカの錠装置。
（付記６）
前記表示部５の発光開始時間を調整する調整部７がケーシング６外部から操作可能に配置される付記１からの５のいずれかに記載のコインロッカの錠装置。
（付記７）前記コイン格納部４は、
コイン保持部１４を備え、前記シリンダ錠１に連動してケーシング６内で回転するコインホルダ１０と、
コインホルダ１０に装着され、コイン保持部１４内に保持されるコインＡの外周に圧接して該コインＡのサイズを検出する検知部１７ａを備え、検知部１７ａの位置に対応させて出力部２３が駆動されるコインセンサ部１１と、
コインセンサ部１１の出力部２３の位置により前記コインホルダ１０の回転を許容、禁止するホルダ回転制御部１２とからなる付記１から６のいずれかに記載のコインロッカの錠装置。
（付記８）前記ホルダ回転制御部１２による異種サイズコインＡ検出時の回転禁止動作が、コイン保持部１４のケーシング６内への没入後に行われる付記７記載のコインロッカの錠装置。
（付記９）
前記コインセンサ部１１の出力部２３は、コイン保持部１４内に保持されるコインＡの大きさによりコインホルダ１０の回転半径方向に移動するように構成されるとともに、
ホルダ回転制御部１２は、設定コインＡがコイン保持部１４内に保持された際に出力部２３の通過を許容し、残余のコインＡに対する出力部２３の回転軌跡に干渉してコインホルダ１０の回転を規制する通路として構成される付記７または８記載のコインロッカの錠装置。
（付記１０）
前記コインセンサ部１１における検知部１７ａのコインＡ外周への圧接動作がコインホルダ１０へのコインＡ投入後に発生する付記７，８または９記載のコインロッカの錠装置。
（付記１１）
前記コインホルダ１０は、所定角度の空転域を有するとともに、
ケーシング６には、コインホルダ１０の初期回転位置においてコインセンサ部１１に干渉して、該コインセンサ部１１の付勢力をキャンセルし、空転域内での回転操作によりコインセンサ部１１との干渉が解除されてコインセンサ部１１の付勢力を発揮させるセンサ制御部２１が設けられる付記１０記載の錠装置。
【図面の簡単な説明】
【００４８】
【図１】錠装置の外形を示す図で、（ａ）は正面図、（ｂ）は左側面図である。
【図２】本発明の要部を示す図で、（ａ）はケーシングから取り出した状態を示す正面図、（ｂ）は右側面図である。
【図３】コインホルダを示す図で、（ａ）は待機状態を示す側面図、（ｂ）はセンサアームを示す図、（ｃ）はアンクルを示す図である。
【図４】センサ制御部の動作を示す図で、（ａ）はコインセンサ部が作動する直前の状態を示す側面図、（ｂ）はコインセンサ部が作動した状態を示す側面図である。
【図５】コインセンサ部によるコインサイズの検出状態を示す図で、（ａ）はサイズが小さな不適合コインを投入した状態を示す側面図、（ｂ）はサイズが大きな不適合コインを投入した状態を示す側面図、（ｃ）は不適合コインを投入してコインホルダを回転させた状態を示す側面図である。
【図６】適合コインを投入してコインホルダを施錠位置まで回転させた状態を示す側面図である。
【図７】錠装置の内部を背面側から見た図で、（ａ）は解錠状態、（ｂ）は施錠状態を示す。
【図８】蓋を取り外した状態の錠装置を背面側から見た図で、（ａ）は背面図、（ｂ）は斜視図である。
【図９】制御部の動作を示すフローチャートである。
【符号の説明】
【００４９】
１        シリンダ錠
２        施錠体
３        コイン投入部
４        コイン格納部
５        表示部
６        ケーシング
７        調整部
Ａ        コイン
【図１】
2006040154.tif 000003
【図３】
2006040154.tif 000004
【図４】
2006040154.tif 000005
【図５】
2006040154.tif 000006
【図６】
2006040154.tif 000007
【図７】
2006040154.tif 000008
【図８】
2006040154.tif 000009
【図９】
2006040154.tif 000010
【図２】
2006040154.tif 000011